(57)【要約】      （修正有）【課題】溝蓋の固定におけるスペースが少なくで済み、また固定に係わる孔等の位置合わせが簡便となされ、且つ既設の溝蓋にも容易に適用できる溝蓋の固定方法を提供する。【解決手段】固定金具２が取付孔１内で受け枠２０に固着され且つ取付孔内面に当接されることで、固定金具２と取付孔１内面との間の摩擦力等により溝蓋１０が上方に持ち上がろうとするのを抑止するが、固定金具２が取付孔１内でその内面に当接されることで取付孔１が小さくとも固定金具２を挿入することができるから、溝蓋１０の固定に係わるスペースは少なくで済み、溝蓋１０の格子状の間隔を広げる必要をなくすることができる。更には溝蓋１０の新設、既設や材質、形状を問わず適用が可能である。更にまた、溝蓋１０にボルト孔等の加工を施す必要がなく、対象とする溝蓋１０が既設のものであっても、現地における容易な作業で適用可能である。【選択図】        図４
2004238953.tif 000002
【特許請求の範囲】
【請求項１】
溝や排水枡等の上に設けられた受け枠に溝蓋を載置し、固定金具を用いて前記受け枠に溝蓋を固定する方法であって、溝蓋は上下に開口された取付孔を備え、該取付孔に固定金具が挿入され、前記固定金具を受け枠に固着させると共に取付孔内面に当接させて、溝蓋を受け枠に固定させることを特徴とする溝蓋の固定方法。
【請求項２】
受け枠は、上面から取付ボルトが突設され、該取付ボルトが溝蓋が受け枠に載置されると共に前記取付孔の下方から挿入され、取付ボルトに固定金具が取り付けられることを特徴とする請求項１に記載の溝蓋の固定方法。
【請求項３】
取付孔は、上方より下方の幅が狭くなされ、取付孔内で固定金具は取付孔の下方の幅より広くなされることを特徴とする請求項１又は２に記載の溝蓋の固定方法。
【請求項４】
取付孔は、上下方向の途中に上方より下方の幅が狭くなされた段差部が設けられたことを特徴とする請求項３に記載の溝蓋の固定方法。
【請求項５】
固定金具は、取付孔内で長さ方向の向きが変わることで取付孔内面に当接されることを特徴とする請求項３又は４に記載の溝蓋の固定方法。
【請求項６】
固定金具は、長さ方向の中央部に上下方向の折り曲げ部が形成されて長さ方向が取付孔の幅より小さくなされ、取付孔内において前記折り曲げ部が戻されることで取付孔内面に当接されることを特徴とする請求項３〜５のいずれかに記載の溝蓋の固定方法。
【請求項７】
固定金具は、上方又は下方に開口した取付溝を有する当接部材と拡張用部材とを備え、前記当接部材を受け枠に固着し、前記拡張用部材により前記当接部材の取付溝が拡張されて取付孔内面に圧接されることを特徴とする請求項１又は２に記載の溝蓋の固定方法。
【請求項８】
固定金具は、取付孔の上方からボルト又はナットを締め付けて当接金具及び／又は拡張用金具を上下方向に移動させることで当接部材の取付溝を拡張することを特徴とする請求項７に記載の溝蓋の固定方法。
【請求項９】
当接部材は、断面コ字状であって、コ字状を形成する３本の部位の内、取付溝を形成する横棒２本の部位が取付孔内面に押しつけられ、前記横棒２本を接続する縦棒の部位が受け枠に固着されることを特徴とする請求項７又は８に記載の溝蓋の固定方法。
【発明の詳細な説明】
【０００１】
【発明の属する技術分野】
本発明は、主に道路の側縁等の排水溝の上面に設置され、上面の車両の通過及び排水を妨げずに溝蓋を強固に固定する溝蓋の固定方法に関するものである。
【０００２】
【従来の技術】
溝蓋は、その上面を自動車や自転車等の車両が通過し、また溝蓋からの排水を行うために、金属板を立てた状態で格子状に形成したものが好適に用いられてきている。しかし、単に自重により溝蓋が載置されているだけの状態では、上面を車両が通過した際にその荷重や衝撃により溝蓋が浮き上がって大きな音を発したり、溝蓋自体が外れたりする恐れがある。とりわけ自動車が高速で走行するような道路において、溝蓋が外れるようなことは大惨事にも繋がりかねず、溝蓋は強固に固定されることが必須である。また上面を車両や歩行者が通過することから、溝蓋や路面より突設される部位は極力少なくする必要がある、かかる溝蓋の固定方法については従来様々な発明が開示されてきている。
【０００３】
まず実公昭５８−２８０７３号公報において、鋼製溝蓋に設けられた取付部に穿設されたボルト孔と、受枠の水平辺に設けたボルト孔とにボルトを挿通して上方からナットを螺合して緊結する固定装置が開示されている。
【０００４】
また特開２００１−２８８８０４号公報において、側溝本体の内側面に埋め込まれたインサート部材に、側溝蓋の側壁に設けられた透孔を貫通した係止ピンが着脱自在に取り付けられた側溝蓋の外れ防止具が開示されている。
【０００５】
【特許文献１】
実公昭５８−２８０７３号公報
【０００６】
【特許文献２】
特開２００１−２８８８０４号公報
【０００７】
【発明が解決しようとする課題】
しかしながら、特許文献１に記載される如き固定装置では、螺合するナットや工具を挿入するスペースが必要であり、そのスペースを設けるのに格子状の金属板の間隔をその部分だけ広げる必要が出てくる場合があり、かような場合に格子状の部分に入らない筈の塵埃や歩行者の踵などが入り、清掃の手間や思わぬ事故に繋がる恐れがある。また格子状の間隔が変わることで、溝蓋自体の強度の低下の恐れもある。またかかる固定装置を固定がなされていない既設の溝蓋に適用するには、溝蓋や受枠に取付部や水平辺を取り付ける必要があり、現場において容易には行うことは困難である。
【０００８】
また特許文献２に示される如き外れ防止具では、予め側溝本体にインサート部材を埋設しておく必要があり、側溝蓋の固定には手間と時間を要するものであった。更には側溝蓋内側面の透孔とインサート部材との位置合わせをある程度厳密に行う必要があり、各々について精密な配置を行う必要があった。更には側溝蓋に透孔を穿設する必要があり、既設の側溝蓋に現場において透孔を穿設する作業は容易なものではなく、また側溝蓋の材質や形状によっては適用できない場合があった。
【０００９】
本発明は上記の如き問題点に鑑みてなされたものであり、溝蓋の固定におけるスペースが少なくで済み、また固定に係わる孔等の位置合わせが簡便となされ、且つ既設の溝蓋にも容易に適用できる溝蓋の固定方法を提供せんとするものである。
【００１０】
【課題を解決するための手段】
上記課題を解決するため、本発明は以下のような構成としている。すなわち、本発明に係わる溝蓋の固定方法は、溝や排水枡等の上に設けられた受け枠に溝蓋を載置し、固定金具を用いて前記受け枠に溝蓋を固定する方法であって、溝蓋は上下に開口された取付孔を備え、該取付孔に固定金具が挿入され、前記固定金具を受け枠に固着させると共に取付孔内面に当接させて、溝蓋を受け枠に固定させることを特徴とするものである。
【００１１】
本発明によれば、固定金具が取付孔内で受け枠に固着され且つ取付孔内面に当接されることで、固定金具と取付孔内面との間の摩擦力等により溝蓋が上方に持ち上がろうとするのを抑止するが、固定金具が取付孔内でその内面に当接されることで取付孔が小さくとも固定金具を挿入することができるから、溝蓋の固定に係わるスペースは少なくで済み、溝蓋の格子状の間隔を広げる必要をなくすることができる。更には溝蓋の新設、既設や材質、形状を問わず適用が可能である。更にまた、溝蓋にボルト孔等の加工を施す必要がなく、対象とする溝蓋が既設のものであっても、現地における容易な作業で適用可能である。
【００１２】
本発明に係わる溝蓋は、上下に開口し下方の幅が上方の幅より狭くなされた取付孔を有するものであれば特に限定されるものではなく、金属製、コンクリート製、合成樹脂製等のものを用いてよいが、強度が高く靱性の高い金属製のものが好ましく、更には排水や塵埃を流下できるよう、上述の如く金属板を立てた状態で格子状に形成し、併せて取付孔を形成したものが好ましい。また前記の如き下方の幅が上方の幅より狭くなされた取付孔は、取付孔内面を変形させたり、取付孔内面に部材を取り付ける等の適宜方法で形成してよい。
【００１３】
また受け枠は、上面から取付ボルトが突設され、該取付ボルトが溝蓋が受け枠に載置されると共に前記取付孔の下方から挿入され、取付ボルトに固定金具が取り付けられるものであれば、取付孔内で取付ボルトを固定する必要がなく、作業が容易となり好ましい。
【００１４】
また取付孔は、上方より下方の幅が狭くなされ、取付孔内で固定金具は取付孔の下方の幅より広くなされていれば、固定金具が取付孔内面に当接されている状態で、摩擦力のみに頼る場合と較べ、より強固に溝蓋が上方へ持ち上がろうとするのを抑止でき好ましい。
【００１５】
また取付孔は、上下方向の途中に上方より下方の幅が狭くなされた段差部が設けられたものであれば、固定金具が段差部に引っかかり、更に強固に溝蓋が上方へ持ち上がろうとするのを抑止でき、また固定金具のずれ等を防止でき好ましい。
【００１６】
また固定金具は、固定金具は、取付孔内で長さ方向の向きが変わることで取付孔内面に当接されるものであれば、固定金具の幅の拡大が極めて容易に行うことができ好ましい。
【００１７】
また固定金具は、長さ方向の中央部に上下方向の折り曲げ部が形成されて長さ方向が取付孔の幅より小さくなされ、取付孔内において前記折り曲げ部が戻されることで取付孔内面に当接されるものであれば、取付孔への固定金具の挿入が円滑なものとなり好ましい。
【００１８】
また固定金具は、上方又は下方に開口した取付溝を有する当接部材と拡張用部材とを備え、前記当接部材を受け枠に固着し、前記拡張用部材により前記当接部材の取付溝が拡張されて当接金具が取付孔内面に圧接されるものであれば、当接部材の大きさや形状を変更することで溝蓋と受け枠との固定の強度を設定でき好ましい。
【００１９】
また固定金具は、取付孔の上方からボルト又はナットを締め付けて当接金具及び／又は拡張用金具を上下方向に移動させることで当接部材の取付溝を拡張するものであれば、取付孔の上方からの作業で溝蓋を固定でき、作業は容易且つ安全なものとなる。
【００２０】
また当接部材は、断面コ字状であって、コ字状を形成する３本の部位の内、取付溝を形成する横棒２本の部位が取付孔内面に押しつけられ、前記横棒２本を接続する縦棒の部位が受け枠に固着されるものであれば、簡潔な断面形状のもので、当接部材の取付孔内面と当接する面を大きくでき、また固定におけるバランスも良好なものとなり好ましい。
【００２１】
【発明の実施の形態】
本発明の実施の形態について、図面に基づき以下に具体的に説明する。
図１及び図２は、本発明が適用される溝蓋及び受け枠の一例を示す説明図である。図１において、上方に開口された排水枡Ｍをそのままにしておくと歩行者や車両が排水Ｗに向かって落ち込む恐れがあり、その上方を覆う溝蓋の取り付けが必要となる。但し、排水枡Ｍに直接溝蓋を取り付けると排水枡Ｍの周囲が崩落する恐れがあり、排水枡Ｍの保護及び溝蓋の取り付けを容易にする目的で、まず排水枡Ｍの開口部には鉄鋼、ステンレス等の金属からなる受け枠２０が取り付けられる。
【００２２】
続いて図２において、排水枡Ｍに取り付けられた受け枠２０上に溝蓋１０が載置される。イ）において、溝蓋１０は金属板Ｋを立てた状態で格子状に溶接、嵌合等して形成されたもので、金属板Ｋ以外の部分は上下方向に開口された開口部となされていることで周囲の雨水等を流下させて滞留させないようにしたものである。かかる開口部から選ばれた少なくとも１つが取付孔１を兼ねるものとして溝蓋１０と受け枠２０との固定に用いられる。
【００２３】
ロ）はイ）における溝蓋１０が受け枠２０に載置された状態でのＡ−Ａ断面図であるが、溝蓋１０を形成する金属板Ｋの間に上下に開口された取付孔１が形成されている。かかる溝蓋１０を受け枠２０上に載置したのみでは、嵌合されている場合であっても溝蓋１０上を車両、とりわけトラックやダンプカーの大型車両や、高速道路等において高速で走行する車両が通過した際に非常に大きな音を立てたり、また跳ね上がりが起こる恐れがある。
【００２４】
図３及び図４は本発明に係わる溝蓋の固定方法の、実施の一形態を示すもので、図２のイ）と同方向からの断面図である。まず図３のイ）において、受け枠２０には取付ボルト３が取り付けられる。取付ボルト３はアンカーボルト等を用いてもよいが、受け枠２０の表面をグラインダー等で研磨した上で錆、汚れ等を取り除き、溶接により取り付ければ嵌挿孔を穿設する必要がなく作業を簡便にでき好ましい。次に受け枠２０上に溝蓋１０が載置されるが、その際に金属板Ｋにより形成された取付孔１の下方から、取付ボルト３が取付孔１内に挿入される。
【００２５】
次にロ）において、固定金具２と、固定金具２の上下方向での位置を調整するスペーサーＳが取付孔１に挿入される。固定金具２及びスペーサーＳには、取付ボルト３を挿通する貫通孔２１及びＳ１が穿設されている。挿入される段階においては、固定金具２の幅ａは取付孔１の幅ｂより小さくなされ、固定金具２は取付部１に容易に挿入可能である。
【００２６】
続いて図４のイ）において、スペーサーＳ及び固定金具２を挿通した取付ボルト３にナットＮが螺着されることで固定金具２は受け枠２０に固着される。更に固定金具２は取付孔１内でその幅が拡大され、ロ）に示す如く取付孔１内面に当接されて当接部Ｔが形成され、当接部Ｔにおける摩擦力等により固定金具２を介して溝蓋１０は受け枠２０に固定される。
【００２７】
かかる方法により溝蓋１０を受け枠２０に固定することで、溝蓋１０、受け枠２０に対して施す加工は取付ボルト３の取り付けのみであり、新設のもののみならず、既設の溝蓋１０及び受け枠２０においても、一旦溝蓋１０を取り外し、受け枠２０に取付ボルト３を取り付け、溝蓋１０を元の位置に戻し、固定金具２を取付孔１に挿入してその幅を拡大し、ナットＮを締め付けることで溝蓋１０を受け枠２０に固定でき、現場における簡便な作業で容易に溝蓋１０を受け枠２０に固定して、音鳴りや跳ね上がりを防止することができる。
【００２８】
図５は、本発明に係わる固定金具の実施の一形態を示すもので、イ）は斜視図、ロ）は上面図、ハ）は側面図である。固定金具２Ａは鉄鋼、ステンレス等の金属製の平板を用いて形成されるが、中央に取付ボルトを挿通する貫通孔２Ａ１が穿設され、長さ方向の中央部に上下方向に折り曲げ部２Ａ２が形成されている。また長さ方向の両端は貫通孔２Ａ１を中心に回動が容易になるよう、貫通孔２Ａ１中央から点対称に円弧状部２Ａ３となされている。
【００２９】
かかる固定金具２は、図６及び図７に示す如き方法にて用いられ、図６は断面図、図７は上面図である。図６のイ）において、取付孔１の幅ｂより小さくなされた幅ａの固定金具２がスペーサーＳと共に取付孔１に挿入され、貫通孔Ｓ１及び２Ａ１に取付ボルト３が挿通される。ロ）において、取付孔１の上方からナットＮが取付孔１に挿入され、且つ取付ボルト３に螺着される。取付ボルト３にナットＮを螺着し緊結して行くと、ハ）に示す如く、固定金具２が受け枠２０に固着されると共に、固定金具２の中央部がスペーサーＳ及びナットＮに挟まれて折り曲げ部２Ａ２が戻されて固定金具２の幅が拡大し、固定金具２Ａと取付孔１の内面との間に当接部Ｔが形成されることで、溝蓋１０は受け枠２０に固定される。
【００３０】
図７は、図６に示した固定方法の上面図であり、イ）において長さ方向が、取付孔１の長さ方向と平行となされた状態で取付孔１に挿入された固定金具２Ａは、その貫通孔２Ａ１に取付ボルト３が挿通され、取付ボルト３を中心に矢印の方向に回転されてロ）に示す如く、固定金具２の長さ方向は、取付孔１の長さ方向と直交するようになされることで固定金具２の幅は拡大される。続いてハ）において、ナットＮが緊結され、折り曲げ部２Ａ２が戻されることで更に固定金具２の幅は拡大されてその両端が取付孔１内面に当接して当接部Ｔが形成されることで、固定金具２を介して溝蓋１０と受け枠２０とは固定される。
【００３１】
かかる固定金具２Ａを用いる方法により、上述の幅の拡大する固定金具を用いることによる効果に加え、固定金具２Ａの挿入時において固定金具２Ａと取付孔１の内面との間隙を広くすることができ、溝蓋１０の厚みの大きい場合でも固定金具２Ａを挿入するのが容易となる。また折り曲げ部２Ａ２が設けられていることで、ナットＮの緊結により固定金具２Ａの幅の拡大と固定金具２Ａの受け枠２０への固着が同時に行われ、固定に係わる作業性は向上される。更にまた固定金具２Ａの長さ方向の両端が貫通孔２Ａ１を中心に点対称となされた円弧状部２Ａ３とされていることで、取付孔１内における固定金具２Ａの回転は円滑なものとでき、固定金具２Ａの幅の拡大は容易に可能である。
【００３２】
尚、本実施形態においては、固定金具２Ａは折り曲げ部２Ａ２及び円弧状部２Ａ３を共に備えるものであるが、いずれか一方のみを備えたものとしてもよい。
【００３３】
また取付孔１は図８に示す如きものとしてもよく、イ）において取付孔１は金属板Ｋの厚みが下方に向かって漸次大きくなされることで、上方の幅ｂより下方の幅ｃが狭くなされているものである。取付孔１に挿入された固定金具２の幅ａは、取付孔１内で下方の幅ｃより広くなされることで当接部Ｔが形成されるが、取り付け時や長期の使用において固定金具２の変形等により幅ａが僅かに小さくなった場合でも、取付孔１の下方から固定金具２は抜けにくく、溝蓋１０の浮き上がりや外れを防止できる。
【００３４】
またロ）において、取付孔１の上下方向の途中に上方の幅ｂより下方の幅ｃが狭くなされた段差部４が設けられ、固定金具２の幅ａは取付孔１内で下方の幅ｃより広くなされることで取付孔１内面との当接部Ｔが形成される。固定金具２はその段差部４に引っかかることで、固定金具２が変形したり位置がずれたりした場合でも段差部Ｔの下方へ固定金具２は抜けにくく、溝蓋１０の浮き上がりや外れを防止できる。
【００３５】
図９〜図１１は、本発明に係わる溝蓋の固定方法の、実施の一形態を示すもので図９は固定金具を示す説明図、図１０及び図１１は固定金具の取り付けを示す断面図である。まず図９のイ）において、当接部材２Ｂは断面コ字状であって、コ字状を形成する３本の部位の内、取付溝２Ｂ１を形成する横棒２本の部位２Ｂ２及び２Ｂ３が、縦棒の部位２Ｂ４により接続され、縦棒の部位２Ｂ４には２つの貫通孔２Ｂ５及び２Ｂ６が穿設されている。またロ）において、拡張用部材２Ｃは、断面ヘ字状となされ、ヘ字状の頂点中央にねじ山が螺刻されたねじ孔２Ｃ１が穿設されている。
【００３６】
かかる当接部材２Ｂ及び拡張用部材２Ｃを用いて溝蓋１０を受け枠２０に固定する方法は、まず図１０のイ）において、取付ボルト３が取り付けられた受け枠２０に載置された溝蓋１０の取付孔１に、取付孔１の幅ｂより幅ａが狭くなされ、下方に向けて開口された取付溝２Ｂ１を備えた当接部材２Ｂを挿入する。当接部材２Ｂに２つ穿設された貫通孔の内、一方の貫通孔２Ｂ５に取付ボルト３を挿通した状態で、ロ）に示す如くナットＮが取付ボルト３に螺合されることで、当接部材２Ｂは受け枠２０に固着される。
【００３７】
次に図１１のロ）において、ボルトＢが当接部材２Ｂに穿設された他方の貫通孔２Ｂ６に挿通され、更に取付孔１に挿入された拡張用部材２Ｃに穿設されたねじ孔２Ｃ１に螺着される。拡張用部材２Ｃは、当接部材２Ｂの下方に当てがわれればよく、取付孔１内に挿入するのは当接部材２Ｂの挿入前でも挿入後でも、同時であってもよい。ねじ孔２Ｃ１に螺着したボルトＢを締め付けて行くと、拡張用部材２Ｃは上方に移動されるようになされており、その上面が当接部材２Ｂの取付溝２Ｂ１に押しつけられる。当接部材２Ｂは貫通孔２Ｂ５において取付ボルト３及びナットＮにより受け枠２０に固着されており、拡張用部材２Ｃが上方に移動されることで、コ字状の縦棒の部位２Ｂ４と拡張用部材２Ｃに挟まれた横棒の部位２Ｂ２及び２Ｂ３に加えられた応力が横方向に逃げようとすることで当接部材２Ｂの取付孔２Ｂ１が拡張され、固定金具が取付孔１内面に圧接されて当接部Ｔが生じ、溝蓋１０は固定金具を介して受け枠２０に固定される。
【００３８】
かかる方法により、上方のみからの作業で済む等の上述の効果に加え、溝蓋１０と受け枠２０に施す加工は取付ボルト３を取り付けるのみであり、現地における作業は簡便なものとなり既設の溝蓋に対しても容易に適用が可能である。またボルトＢの締め付け強さにより溝蓋の固定強度を任意のものとでき、設置状況に応じた強度での溝蓋の固定が可能となる。更に固定金具の変形を弾性変形の範囲に留めれば、溝蓋１０を取り外す必要が生じた場合でも、ボルトＢを取り外すのみで固定金具を外し、溝蓋１０の固定を解除することが容易である。
【００３９】
図１２及び図１３は本発明に係わる溝蓋の固定方法の、更に他の実施形態を示すもので、図１２は固定金具を示す説明図、図１３は取り付けに係わる断面図である。図１２において、当接部材２Ｄは断面コ字状であって、コ字状を形成する３本の部位の内、取付溝２Ｄ１を形成する横棒２本の部位２Ｄ２及び２Ｄ３が、縦棒の部位２Ｄ４により接続され、縦棒の部位２Ｄ４には貫通孔２Ｄ５が穿設されている。またロ）において、拡張用部材２Ｅは、断面逆Ｕ字状となされ、逆Ｕ字状の頂点中央に貫通孔２Ｅ１が穿設されている。
【００４０】
かかる当接部材２Ｄ及び拡張用部材２Ｅを用いて溝蓋１０を受け枠２０に固定する方法は、まず図１３のイ）において、受け枠２０に取り付けられた取付ボルト３が拡張用部材２Ｅの貫通孔２Ｅ１に挿通され、溝蓋１０の取付孔１に嵌着された当接部材２Ｄが貫通孔２Ｄ５に取付ボルト３が挿通されるように、溝蓋１０ごと受け枠２０上に載置されることで、当接部材２Ｄの取付孔２Ｄ１に拡張用部材２Ｅが当てがわれる。当接部材２Ｄ及び拡張用部材２Ｅは、かかる方法のみならず双方を予め受け枠２０上に配置してから溝蓋１０を載置しても、溝蓋１０を載置してから取付孔１に挿入してもよい。
【００４１】
貫通孔２Ｄ５及び２Ｅ１に取付ボルト３が挿通された状態で、当接部材２Ｄの上面からナットＮを締め付けると、ナットＮが押しつけられて当接部材２Ｄは下方に移動され、コ字状の縦棒の部位２Ｄ４と拡張用部材２Ｅに挟まれた横棒の部位２Ｄ２及び２Ｄ３に加えられた応力が横方向に逃げようとすることで当接部材２Ｄの取付孔２Ｄ１が拡張され、固定金具が取付孔１内面に圧接されて当接部Ｔが生じ、溝蓋１０は固定金具を介して受け枠２０に固定される。
【００４２】
かかる方法により、上方のみからの作業で済む等の上述の効果に加え、溝蓋１０と受け枠２０に施す加工は取付ボルト３を取り付けるのみであり、現地における作業は簡便なものとなり既設の溝蓋に対しても容易に適用が可能である。またナットＮの締め付け強さにより溝蓋の固定強度を任意のものとでき、設置状況に応じた強度での溝蓋の固定が可能となる。更に固定金具の変形を弾性変形の範囲に留めれば、溝蓋１０を取り外す必要が生じた場合でも、ナットＮを取り外すのみで固定金具を外し、溝蓋１０の固定を解除することが容易である。更にまた、ナットＮの締め付けのみにより、固定金具の受け枠２０への固着と固定金具の拡大を同時に行うことができ、作業は簡便且つ迅速なものとなり得る。
【００４３】
【発明の効果】
本発明によれば、固定金具が取付孔内で受け枠に固着され且つ取付孔内面に当接されることで、固定金具と取付孔内面との間の摩擦力等により溝蓋が上方に持ち上がろうとするのを抑止するが、固定金具が取付孔内でその内面に当接されることで取付孔が小さくとも固定金具を挿入することができるから、溝蓋の固定に係わるスペースは少なくで済み、溝蓋の格子状の間隔を広げる必要をなくすることができる。更には溝蓋の新設、既設や材質、形状を問わず適用が可能である。更にまた、溝蓋にボルト孔等の加工を施す必要がなく、対象とする溝蓋が既設のものであっても、現地における容易な作業で適用可能である。
【図面の簡単な説明】
【図１】本発明が適用される排水枡の一例を示す説明図である。
【図２】本発明が適用される溝蓋及び受け枠の一例を示す説明図である。
【図３】本発明に係わる実施の一形態を示す断面図である。
【図４】本発明に係わる実施の一形態を示す断面図である。
【図５】本発明に係わる実施の一形態の、固定金具を示す説明図である。
【図６】図５の固定金具を用いた溝蓋の固定方法を示す断面図である。
【図７】図５の固定金具を用いた溝蓋の固定方法を示す上面図である。
【図８】本発明に係わる他の実施形態を示す断面図である。
【図９】本発明に係わる他の実施形態の、固定金具を示す説明図である。
【図１０】図９の固定金具を用いた溝蓋の固定方法を示す断面図である。
【図１１】図９の固定金具を用いた溝蓋の固定方法を示す断面図である。
【図１２】本発明に係わる更に他の実施形態の、固定金具を示す説明図である。
【図１３】図１２の固定金具を用いた溝蓋の固定方法を示す断面図である。
【符号の説明】
１    取付孔
２    固定金具
２Ｂ、２Ｄ  当接部材
２Ｃ、２Ｅ  拡張用部材
３    取付ボルト
４    段差部
１０  溝蓋
２０  受け枠
Ｍ    排水枡
Ｋ    金属板
Ｎ    ナット
Ｔ    当接部
【図１】
2004238953.tif 000003
【図２】
2004238953.tif 000004
【図３】
2004238953.tif 000005
【図４】
2004238953.tif 000006
【図５】
2004238953.tif 000007
【図６】
2004238953.tif 000008
【図７】
2004238953.tif 000009
【図８】
2004238953.tif 000010
【図９】
2004238953.tif 000011
【図１０】
2004238953.tif 000012
【図１１】
2004238953.tif 000013
【図１２】
2004238953.tif 000014
【図１３】
2004238953.tif 000015